(57)【要約】      （修正有）【課題】定流量弁装置の場合、弁体の弾性率によって、設定される最大流量が変わってくる。そのため、製品の仕様によって要求される最大流量に応じて、弁体を弾性率の異なるものへと取り替える必要があった。同一部材で汎用性のある定流量弁装置を提供することを目的とする。【解決手段】スタスター１８の第２軸部１５側への押込み量によって弁体１９による流路断面積の絞り量を調整することで、同一部材により定流量弁装置１の最大流量を調整することができる。【選択図】図３
2020003020.tif 000002
【特許請求の範囲】
【請求項１】
水が流入する流入口と、上記流入口から流入した水が流出する流出口と、上記流入口と上記流出口との間に配置される定流量弁本体と、を備えた定流量弁装置において、
上記定流量弁本体は、
上記流入口から流入した水の水圧を受ける第１座部と、
上記第１座部よりも下流側に配置される第２座部と、
上記第１座部および上記第２座部との間に設けられる弾性体の弁体であって、自身の内部に形成された空間内に流体が保持される上記弁体と、
を備えており、
上記流入口から流入した水の水圧に応じて上記弁体が変形して流路断面積を変化させることで、上記流出口から流出する水の最大流量を所定値以下に保持し、
上記定流量弁本体は、さらに、上記最大流量を調整可能な調整手段を有することを特徴とする定流量弁装置。
【請求項２】
上記調整手段は、上記第２座部の位置を調整可能な調整ネジである請求項１に記載の定流量弁装置。
【請求項３】
上記調整手段は、上記空間内の流体の量を調整可能な調整孔である請求項１に記載の定流量弁装置。
【発明の詳細な説明】
【技術分野】
【０００１】
本発明は、定流量弁装置に関する。
【背景技術】
【０００２】
従来の定流量弁装置として、ゴム等の弾性体で作られた弁体が、流動圧によって変形して流路断面積を変化させることによって、供給される水の水圧が高くなったとしても略同一の瞬間流量が得られるようにするものが知られている（例えば、特許文献１）。つまり、定流量弁装置における最大流量を所定値以下に保持できるものが知られている。
【先行技術文献】
【特許文献】
【０００３】
【特許文献１】特表２００３−５０４７４７号公報
【発明の概要】
【発明が解決しようとする課題】
【０００４】
上述したような定流量弁装置の場合、弁体の弾性率によって、設定される最大流量が変わってくる。そのため、製品の仕様によって要求される最大流量に応じて、弁体を弾性率の異なるものへと取り替える必要があった。
【０００５】
本発明は、上述した問題を解決するためになされたものであり、同一部材で汎用性のある定流量弁装置を提供することを目的とする。
【課題を解決するための手段】
【０００６】
本発明の一態様に係る定流量弁装置は、水が流入する流入口と、上記流入口から流入した水が流出する流出口と、上記流入口と上記流出口との間に配置される定流量弁本体と、を備えた定流量弁装置において、上記定流量弁本体は、上記流入口から流入した水の水圧を受ける第１座部と、上記第１座部よりも下流側に配置される第２座部と、上記第１座部および上記第２座部との間に設けられる弾性体の弁体であって、自身の内部に形成された空間内に流体が保持される上記弁体と、を備えており、上記流入口から流入した水の水圧に応じて上記弁体が変形して流路断面積を変化させることで、上記流出口から流出する水の最大流量を所定値以下に保持し、上記定流量弁本体は、さらに、上記最大流量を調整可能な調整手段を有することを特徴とする。
【０００７】
この構成によれば、調整手段によって定流量弁装置の最大流量を調整することができるため、弁体を変えることなく最大流量を調整することができ、同一部材で汎用性のある定流量弁装置を提供することができる。
【０００８】
本発明の一態様に係る定流量弁装置において、好ましくは、上記調整手段は、上記第２座部の位置を調整可能な調整ネジである。
【０００９】
この構成によれば、調整ネジを調整することで、定流量弁装置の最大流量を調整することができる。
【００１０】
本発明の一態様に係る定流量弁装置において、好ましくは、上記調整手段は、上記空間内の流体の量を調整可能な調整孔である。
【００１１】
この構成によれば、調整孔によって空間内の流体の量を調整することで、定流量弁装置の最大流量を調整することができる。
【発明の効果】
【００１２】
本発明によれば、同一部材で汎用性のある定流量弁装置を提供することができる。
【図面の簡単な説明】
【００１３】
【図１】本発明の第１実施形態による定流量弁装置の斜視図である。
【図２】本発明の第１実施形態による定流量弁装置の（ａ）定流量弁本体に対して水圧負荷が掛かっていない状態を示した断面図であり、（ｂ）定流量弁本体に対して比較的高い水圧負荷が掛かった状態を示した断面図である。
【図３】本発明の第１実施形態による定流量弁装置について、図２よりも設定流量を小さくした構成の定流量弁本体に対して水圧負荷が掛かっていない状態を示した断面図である。
【図４】本発明の第１実施形態における定流量弁装置の流量−圧力特性について図２の構成と図３の構成とを比較した図である。
【図５】本発明の第２実施形態による定流量弁装置の断面図である。
【発明を実施するための形態】
【００１４】
以下、本発明の実施の形態について添付図面を参照しながら説明する。なお、各図面中、同様の構成要素には同一の符号を付して詳細な説明は適宜省略する。
【００１５】
まず、図１〜３により、本発明の第１実施形態による定流量弁装置について説明する。
図１は、本発明の第１実施形態による定流量弁装置の斜視図である。図２は、本発明の第１実施形態による定流量弁装置の（ａ）定流量弁本体に対して水圧負荷が掛かっていない状態を示した断面図であり、（ｂ）定流量弁本体に対して比較的高い水圧負荷が掛かった状態を示した断面図である。図３は、本発明の第１実施形態による定流量弁装置について、図２よりも設定流量を小さくした構成の定流量弁本体に対して水圧負荷が掛かっていない状態を示した断面図である。
【００１６】
図１，２に示すように、定流量弁装置１は、流入口２ａが形成されるカバー２と、流出口３ａが形成されるホルダー３と、流入口２ａと流出口３ａとの間に配置される定流量弁本体１０と、を備えている。カバー２とホルダー３は嵌合しており、流入口２ａから流入した水が流出口３ａから流出する。
【００１７】
定流量弁本体１０は、カバー２の中心開口２ｂに軸支される第１軸部１１と、第１軸部１１と一体に形成されて流入口２ａから流入する水の勢いを受ける第１座部１３と、ホルダー３の中心開口３ｂに軸支される第２軸部１５と、第２軸部１５と一体に形成される第２座部１７と、第１座部１３と第２座部１７との間に設けられる弾性体で形成された弁体１９と、を有する。
弁体１９と第１座部１３および第２座部１７との間はシールされており、弁体１９と第１座部１３および第２座部１７とによって形成される空間Ｓ内の流体が漏出しないようになっている。なお、空間Ｓ内の流体として本実施形態では空気とするが、本発明はこれに限らず、オイル剤などでもよく、特に指定されるものではない。
【００１８】
図２により、定流量弁装置１内を水が通過するときの定流量弁本体１０の動作について説明する。
流入口２ａから水が流入すると、流入した水の一部が第１座部１３に衝突して第１座部１３に下流側方向への水圧負荷が加わる。このとき、第２座部１７はホルダー３の内周面に当接しているため、弁体１９が第１座部１３と第２座部１７との間で押し潰される。これにより、図２（ｂ）で示しているとおり、図２（ａ）のような定流量弁本体１０へ水圧負荷が掛かっていない状態に比べて、弁体１９とカバー２との間に形成される流路断面積Ａが小さくなる。つまり、流入口２ａから流入する水の水圧が高くなるほど弁体１９によって流路断面積Ａが絞られるため、流入口２ａから流入する水の水圧が高くなったとしても、流出口３ａから流出する水の最大流量を所定値α以下に保持することができる。
【００１９】
図３により、定流量弁装置１における最大流量の調整方法について説明する。
図３に示すように、ホルダー３の中心開口３ｂには、イモネジタイプのスタスター１８が下方から挿入可能となるように構成されている。スタスター１８を第２軸部１５側へ押込むことで、第１座部１３と第２座部１７との間で弁体１９が押し潰される。つまり、定流量弁本体１０へ水圧負荷が掛かっていない状態において、スタスター１８を取り付けていない図２のようなものに比べて流路断面積が小さくなっている。
【００２０】
図４により、図２の構成と図３の構成との流量−圧力特性の比較について説明する。
図４は、本発明の第１実施形態における定流量弁装置の流量−圧力特性について図２の構成と図３の構成とを比較した図である。
【００２１】
図４に示すように、スタスター１８による調整によって、最大流量が所定値αよりも小さい所定値βとなっている。つまり、図３の構成の定流量弁装置１は、図２の構成の定流量弁装置１に比べて最大流量が小さくなっている。図３の流量−圧力特性は、スタスター１８の第２軸部１５側への押込み量によって調整可能となっている。押込み量が大きいほど最大流量が小さくなる。
【００２２】
次に、上述した本発明の第１実施形態による定流量弁装置１における作用効果について説明する。
本発明の第１実施形態による定流量弁装置１によれば、スタスター１８の第２軸部１５側への押込み量によって弁体１９による流路断面積Ａの絞り量を調整することで、同一部材により定流量弁装置１の最大流量を調整することができる。
【００２３】
続いて、図５により、本発明の第１実施形態による定流量弁装置について説明する。
図５は、本発明の第２実施形態による定流量弁装置５１の断面図である。
【００２４】
図５に示すように、定流量弁装置５１は、スタスターの代わりに空間Ｓ内につながる導圧孔５８が設けられている。導圧孔５８を介して空間Ｓ内の空気圧を調整することができる。なお、導圧孔５８には逆止弁６０が設けられており、調整後に空間Ｓ内の空気圧が変動しないようにしている。
空間Ｓ内の空気圧が高いほど、流入口２ａから流入した水の水圧による弁体１９の変形が生じにくくなり、給水圧に対する流路断面積Ａの変化に違いが生じる。したがって、空間Ｓ内の空気圧を調整することにより弁体５９の弾性率を調整することができ、結果として同一部材により定流量弁装置５１の最大流量を調整することができる。
【００２５】
前述した各実施の形態が備える各要素は、技術的に可能な限りにおいて組み合わせることができ、これらを組み合わせたものも本発明の特徴を含む限り本発明の範囲に包含される。
【符号の説明】
【００２６】
１        定流量弁装置
２        カバー
２ａ      流入口
２ｂ      中心開口
３        ホルダー
３ａ      流出口
３ｂ      中心開口
１０      定流量弁本体
１１      第１軸部
１３      第１座部
１５      第２軸部
１７      第２座部
１８      スタスター（調整ネジ）
１９      弁体
５１      定流量弁装置
５８      導圧孔（調整孔）
６０      逆止弁
Ｓ        空間
Ａ        流路断面積
【図１】
2020003020.tif 000003
【図２】
2020003020.tif 000004
【図３】
2020003020.tif 000005
【図４】
2020003020.tif 000006
【図５】
2020003020.tif 000007